(57)【要約】【課題】事前の登録作業を軽減し、個人認証に係る本人なりすましなどの不正使用を防止する。【解決手段】ユーザは、購入商品、購入サービスの会計時に、携帯電話１により予め指定された指定電話番号に電話をかけるとともに、携帯電話１の電話番号に対して一意に決まる識別番号がバーコードとして印字されたカード２を店舗側に提示する。店舗端末３は、上記カード２のバーコードを読み取り、識別番号と代金情報とを決済処理サーバ４に送信する。決済処理サーバ４は、指定電話番号に着信すると、「待ち状態（決済可能状態）」とし、上記識別番号に対応する携帯電話番号と話中（待ち状態）になっている発信者番号とが一致すると、携帯電話番号に対する通話料金に購入代金を重畳して請求する。【選択図】  図１
2004287694.tif 000002
【特許請求の範囲】
【請求項１】
店舗での商品購入、サービス購入に係る購入代金を決済する決済処理システムであって、
店舗での商品購入、サービス購入に際し、予め指定した指定番号へ発呼する携帯電話と、
前記携帯電話の電話番号に対応付けられた識別番号が付与され、店舗での商品購入、サービス購入に際して店舗側へ提示されるカードと、
カードに付与された識別番号を読み取る店舗端末と、
指定番号への着信を待ち状態とし、前記店舗端末によって読み取られた識別番号に対応する携帯電話番号と前記待ち状態としている発信者番号とが一致した場合、前記発信者番号に対応する通話料金に購入代金を重畳して請求する決済処理サーバとを具備することを特徴とする決済処理システム。
【請求項２】
前記識別番号は、前記カードにバーコードとして印字されていることを特徴とする請求項１記載の決済処理システム。
【請求項３】
前記カードは、当該決済サービスの利用登録時に発行されることを特徴とする請求項１または２記載の決済処理システム。
【請求項４】
携帯電話の電話番号と該電話番号に対して一意に決まる識別番号とを対応付けて保持する第１の保持手段と、
前記携帯電話の電話番号と該電話番号での通話料金とを対応付けて保持する第２の保持手段と、
指定番号への着信を待ち状態とする通話保留手段と、
前記第１の保持手段を参照して、店舗での商品購入、サービス購入に際して店舗側へ提示されたカードに付与された識別番号に対応する携帯電話番号を取得する取得手段と、
前記取得手段により取得された形態電話番号と前記通話保留手段により待ち状態としている発信者番号とが一致するか否かを判別する判別手段と、
前記判別手段により双方が一致した場合、前記第２の保持手段に前記発信者番号に一致する電話番号に対応付けられている通話料金に購入代金を重畳して請求する決済処理手段とを具備することを特徴とする決済処理装置。
【請求項５】
携帯電話の電話番号に対して一意に決まる識別番号が付与されたカードを前記携帯電話のユーザに配布し、
店舗での商品購入、サービス購入に際して店舗側へ提示された前記カードに付与されている識別番号を読み取り、
指定番号への着信を待ち状態とし、
前記読み取った識別番号に対応付けられている携帯電話番号と前記待ち状態としている発信者番号とが一致したと判別された場合、前記発信者番号に対応する通話料金に購入代金を重畳して請求することを特徴とする決済処理方法。
【請求項６】
前記識別番号は、前記カードにバーコードとして印字されていることを特徴とする請求項５記載の決済処理方法。
【請求項７】
指定番号への着信を待ち状態とするステップと、
店舗での商品購入、サービス購入に際して店舗側へ提示されたカードに付与されている識別番号に対応する携帯電話番号を取得するステップと、
前記取得された形態電話番号と前記待ち状態としている発信者番号とが一致するか否かを判別するステップと、
双方が一致したと判別された場合、前記発信者番号に一致する電話番号に対応付けられている通話料金に購入代金を重畳して請求するステップとをコンピュータに実行させることを特徴とする決済処理プログラム。
【請求項８】
携帯電話の電話番号に対して一意に決まる識別番号を付与するステップと、
前記識別番号が付与されたカードを前記携帯電話のユーザに配布する際に、前記携帯電話の電話番号と前記識別番号とを対応付けて保持するステップとをコンピュータに実行させることを特徴とする請求項７記載の決済処理プログラム。
【請求項９】
指定番号への着信を待ち状態とするステップと、
店舗での商品購入、サービス購入に際して店舗側へ提示されたカードに付与されている識別番号に対応する携帯電話番号を取得するステップと、
前記取得された形態電話番号と前記待ち状態としている発信者番号とが一致するか否かを判別するステップと、
双方が一致したと判別された場合、前記発信者番号に一致する電話番号に対応付けられている通話料金に購入代金を重畳して請求するステップとをコンピュータに実行させる決済処理プログラムを記録したことを特徴とする記録媒体。
【発明の詳細な説明】
【０００１】
【発明の属する技術分野】
本発明は、決済処理システム、決済処理装置、決済処理方法、決済処理プログラムおよび記録媒体に関する。
【０００２】
【従来の技術】
従来、店舗での商品購入やサービス購入などに際し、携帯電話によって個人認証を行なうことにより、予め登録されている決済口座から購入代金を引き落とすという決済処理システムが提案されている（例えば、特許文献１参照）。
【０００３】
上記従来技術では、携帯電話のユーザは、インターネットを経由し個人情報を入力して所定のＷＥＢサーバにログインし、予めユーザの個人情報に対応付けて決定された識別コードを取得する。店舗での商品購入やサービス購入などに際しては、携帯電話７の表示部に上記識別コードを表示させる。店舗側では、携帯電話７に表示された識別コードを入力装置により読み取り、上記識別コードと決済処理内容（購入代金など）とをネットワークを介して決済システムサーバへ送信する。決済システムサーバでは、識別コードに対応させて予め顧客が指定した決済口座に対して決済処理内容に基づき決済処理を実行する。
【０００４】
【特許文献１】
特開２００２−５６１９７号公報
【０００５】
【発明が解決しようとする課題】
しかしながら、上述した従来技術では、決済処理にあたり、携帯電話のみで決済処理が完結してしまうため、本人成りすましの危険性が高いという問題がある。また、従来技術では、予め個人情報を決済機関に対して設定したり、決済口座を登録しておかなければならないという問題がある。
【０００６】
この発明は上述した事情に鑑みてなされたもので、事前の登録作業を軽減することができ、個人認証に係る本人なりすましなどの不正使用を防止することができる決済処理システム、決済処理装置、決済処理方法、決済処理プログラムおよび記録媒体を提供することを目的とする。
【０００７】
【課題を解決するための手段】
上述した問題点を解決するために、請求項１記載の発明では、店舗での商品購入、サービス購入に係る購入代金を決済する決済処理システムであって、店舗での商品購入、サービス購入に際し、予め指定した指定番号へ発呼する携帯電話と、前記携帯電話の電話番号に対応付けられた識別番号が付与され、店舗での商品購入、サービス購入に際して店舗側へ提示されるカードと、カードに付与された識別番号を読み取る店舗端末と、指定番号への着信を待ち状態とし、前記店舗端末によって読み取られた識別番号に対応する携帯電話番号と前記待ち状態としている発信者番号とが一致した場合、前記発信者番号に対応する通話料金に購入代金を重畳して請求する決済処理サーバとを具備することを特徴とする。
【０００８】
また、請求項２記載の発明では、請求項１記載の決済処理システムにおいて、前記識別番号は、前記カードにバーコードとして印字されていることを特徴とする。
【０００９】
また、請求項３記載の発明では、請求項１または２記載の決済処理システムにおいて、前記カードは、当該決済サービスの利用登録時に発行されることを特徴とする。
【００１０】
また、上述した問題点を解決するために、請求項４記載の発明では、携帯電話の電話番号と該電話番号に対して一意に決まる識別番号とを対応付けて保持する第１の保持手段と、前記携帯電話の電話番号と該電話番号での通話料金とを対応付けて保持する第２の保持手段と、指定番号への着信を待ち状態とする通話保留手段と、前記第１の保持手段を参照して、店舗での商品購入、サービス購入に際して店舗側へ提示されたカードに付与された識別番号に対応する携帯電話番号を取得する取得手段と、前記取得手段により取得された形態電話番号と前記通話保留手段により待ち状態としている発信者番号とが一致するか否かを判別する判別手段と、前記判別手段により双方が一致した場合、前記第２の保持手段に前記発信者番号に一致する電話番号に対応付けられている通話料金に購入代金を重畳して請求する決済処理手段とを具備することを特徴とする。
【００１１】
また、上述した問題点を解決するために、請求項５記載の発明では、携帯電話の電話番号に対して一意に決まる識別番号が付与されたカードを前記携帯電話のユーザに配布し、店舗での商品購入、サービス購入に際して店舗側へ提示された前記カードに付与されている識別番号を読み取り、指定番号への着信を待ち状態とし、前記読み取った識別番号に対応付けられている携帯電話番号と前記待ち状態としている発信者番号とが一致したと判別された場合、前記発信者番号に対応する通話料金に購入代金を重畳して請求することを特徴とする。
【００１２】
また、請求項６記載の発明では、請求項５記載の決済処理方法において、前記識別番号は、前記カードにバーコードとして印字されていることを特徴とする。
【００１３】
また、上述した問題点を解決するために、請求項７記載の発明では、指定番号への着信を待ち状態とするステップと、店舗での商品購入、サービス購入に際して店舗側へ提示されたカードに付与されている識別番号に対応する携帯電話番号を取得するステップと、前記取得された形態電話番号と前記待ち状態としている発信者番号とが一致するか否かを判別するステップと、双方が一致したと判別された場合、前記発信者番号に一致する電話番号に対応付けられている通話料金に購入代金を重畳して請求するステップとをコンピュータに実行させることを特徴とする。
【００１４】
また、請求項８記載の発明では、請求項７記載の決済処理プログラムにおいて、携帯電話の電話番号に対して一意に決まる識別番号を付与するステップと、前記識別番号が付与されたカードを前記携帯電話のユーザに配布する際に、前記携帯電話の電話番号と前記識別番号とを対応付けて保持するステップとをコンピュータに実行させることを特徴とする。
【００１５】
また、上述した問題点を解決するために、請求項９記載の発明では、指定番号への着信を待ち状態とするステップと、店舗での商品購入、サービス購入に際して店舗側へ提示されたカードに付与されている識別番号に対応する携帯電話番号を取得するステップと、前記取得された形態電話番号と前記待ち状態としている発信者番号とが一致するか否かを判別するステップと、双方が一致したと判別された場合、前記発信者番号に一致する電話番号に対応付けられている通話料金に購入代金を重畳して請求するステップとをコンピュータに実行させる決済処理プログラムを記録したことを特徴とする。
【００１６】
この発明では、店舗での商品購入、サービス購入に際し、携帯電話により、予め指定された指定番号へ発呼するとともに、前記携帯電話の電話番号に対応付けられた識別番号が付与されたカードを店舗側へ提示し、店舗端末により、提示されたカードに付与された識別番号を読み取り、決済処理サーバにより、指定番号への着信を待ち状態とし、前記店舗端末によって読み取られた識別番号に対応する携帯電話番号と前記待ち状態としている発信者番号とが一致した場合、前記発信者番号に対応する通話料金に購入代金を重畳して請求する。したがって、事前の登録作業を軽減することが可能となり、個人認証に係る本人なりすましなどの不正使用を防止することが可能となる。
【００１７】
【発明の実施の形態】
以下、図面を用いて本発明の実施の形態を説明する。
Ａ．実施形態の構成
図１は、本発明の実施形態による決済処理システムの構成を示すブロック図である。図１において、携帯電話１は、一般的なものであり、特別な工夫はなされていない。ユーザは、店舗での商品購入やサービス購入などに際し、該携帯電話１により、当該決済サービスの利用登録時に指定された指定電話番号に電話をかけるようになっている。但し、該携帯電話１の電話番号（以下、携帯電話番号という）は、店舗での商品購入やサービス購入に際して個人認証に用いられるので、当該決済サービスの利用登録時に後述する決済処理サーバに登録されている。したがって、指定電話番号に発呼する際には、当該決済サービスの利用登録時の携帯電話１を用いなければならない。
【００１８】
また、カード２は、当該決済サービスの利用登録時に、各所に設けられた営業所や携帯電話販売店１０などで発行されたものであり、カード面には、バーコードによる識別番号が印刷されている。該識別番号は、ユーザが用いる携帯電話番号１に対応付けられたユニークな番号である。なお、カード上の識別番号は、バーコードに限らず、クレジットカードなどに用いられるような磁気コードであってもよい。また、指紋認証や印刷技術（バーコードの場合）により、コピー防止を施すようにしてもよい。ユーザは、購入商品、購入サービスの会計時に、該カード２を店舗側に提示するようになっている。
【００１９】
店舗端末３は、商品やサービスを販売する店舗に設置された端末であり、顧客であるユーザが購入商品、購入サービスの会計時に店舗側に提示する上記カードのバーコードを読み取る入力装置を備えるとともに、バーコードから読み取った識別番号と、顧客であるユーザが購入した代金を含む代金情報とを、ネットワーク（通信回線網やインターネットを含む）７を介して決済処理サーバへ送信する送信機能を備えている。また、店舗端末３は、ネットワーク７を介して決済処理サーバ４から決済ＯＫの応答が返ってくると、決済処理を完了する。
【００２０】
決済処理サーバ４は、当該決済サービスを利用するユーザが、店舗での商品購入やサービス購入などに際し、指定電話番号にユーザの携帯電話番号（すなわち、携帯電話１）から電話がかけられていることを確認すると、「待ち状態（決済可能状態）」とする機能を備えている。また、決済処理サーバ４は、指定電話番号に対して話中（待ち状態）になっている発信者番号が、店舗側の店舗端末３から送信されてくる識別番号に対応する携帯電話番号であるかを確認する機能を備えている。また、決済処理サーバ４は、話中の発信者番号と識別番号に対応する携帯電話番号とが一致する場合、代金情報に従って決済処理を行なう。決済処理は、ユーザの携帯電話１による通話料金とともに請求する機能を備えている。
【００２１】
顧客データベース５は、上記ユーザに発行した識別番号（カードのバーコード）とユーザの携帯電話番号とを対応付けて保持する。料金データベース６は、ユーザの携帯電話番号と該ユーザの携帯電話１に対する通話料金とを対応付けて保持している。
【００２２】
Ｂ．実施形態の動作
次に、本実施形態の動作について詳細に説明する。
【００２３】
Ｂ−１．当該決済サービス登録
まず、当該決済サービスの利用登録について説明する。ここで、図２は、本実施形態による決済サービスの利用登録時の動作を説明するためのフローチャートである。まず、ユーザは、各所に設けられた営業所や携帯電話販売店１０などで当該決済システム利用の申し込みを行なう（Ｓａ１０）。営業所や携帯電話販売店１０では、申し込みに従って、上記ユーザに識別番号を割り振る（Ｓａ１２）。該識別番号は、サービスを申し込んだユーザの携帯電話１に固有のものである。
【００２４】
次に、営業所や携帯電話販売店１０では、上記識別番号をカード上にバーコード化してユーザに配布する（Ｓａ１４）。ユーザは、配布されたカードを保持する（Ｓａ１６）。また、営業所や携帯電話販売店１０では、ユーザの形態電話番号と識別番号とを、所定の通信回線網を介して、決済処理サーバ４に送信して顧客データベース５に登録するか、直接顧客データベース５に登録する（Ｓａ１８）。
【００２５】
Ｂ−２．決済処理
次に、本実施形態による決済処理について説明する。ここで、図３は、本実施形態による決済処理動作を説明するためのフローチャートである。まず、ユーザは、顧客であるユーザが購入商品、購入サービスの会計時に当該決済サービスの利用登録時に指定された指定電話番号に電話をかける（Ｓｂ１０）。
【００２６】
決済処理サーバ４は、指定電話番号に着信すると、顧客データベース５を参照し、指定電話番号にユーザの携帯電話番号（すなわち、携帯電話１）から電話がかけられていることを確認すると、「待ち状態（決済可能状態）」とする（Ｓｂ１２）。
【００２７】
また、ユーザは、購入商品、購入サービスの会計時に、該カード２を店舗側に提示する（Ｓｂ１４）。店舗側では、購入商品、購入サービスの会計を行なうとともに、店舗端末３により、提示された上記カードのバーコードを読み取り、識別番号と代金情報とを決済処理サーバ４に送信する（Ｓｂ１６）。
【００２８】
決済処理サーバ４は、顧客データベース５を参照し、店舗端末３から送信されてくる識別番号に対応する携帯電話番号から指定電話番号に対して話中（待ち状態）になっているかを確認し、そうであるならば、代金情報に従って決済処理を行ない、店舗端末３に決済ＯＫの応答を返す（Ｓｂ１８）。
【００２９】
店舗端末３は、ネットワーク７を介して決済処理サーバ４から決済ＯＫの応答が返ってくると、決済処理を完了し、顧客であるユーザに商品を引き渡す（Ｓｂ２０）。決済処理サーバ４は、料金データベース６を参照してユーザの携帯電話１による通話料金とともに代金を請求する（Ｓｂ２２）。
【００３０】
上述した実施形態によれば、常時持ち歩いている携帯電話で、個人情報を相手に知られることなく手軽に代金決済できる。また、携帯電話で決済した代金は、最終的に利用者の携帯電話料金請求書に重畳されて請求されるので利用者にとって面倒な手続きが必要なく利便性がよい。また、クレジット決済や、デビットカード決済と異なり、店舗側へはカード２に付与された識別番号（バーコード）しか渡らない、また、携帯電話とのやり取りがないので、店舗側へ個人情報が漏れる心配が少ない。また、携帯電話と予め配布されるカード上の識別番号との対応を確認することで個人認証を行なう、すなわち、携帯電話と識別番号が付与されたカードの双方がなければ個人認証が完結しないので、セキュリティを向上させることができる。
【００３１】
なお、上述した実施形態では、決済処理サーバ４の機能は、図示しない記憶部に記憶されたプログラムを実行することで実現するようになっている。記憶部は、ハードディスク装置や光磁気ディスク装置、フラッシュメモリ等の不揮発性メモリやＲＡＭ（Ｒａｎｄｏｍ  Ａｃｃｅｓｓ  Ｍｅｍｏｒｙ）のような揮発性のメモリ、あるいはこれらの組み合わせにより構成されるものとする。また、上記記憶部とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含む。
【００３２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワークや電話回線等の通信回線のように情報を伝送する機能を有する媒体のことをいう。また、上記プログラムは、上述した処理の一部を実現するためのものであってもよい。さらに、上述した処理を決済処理サーバ４に既に記録されているプログラムとの組み合わせで実現できるもの、いわゆる差分ファイル（差分プログラム）であってもよい。
【００３３】
以上、この発明の実施形態を図面を参照して詳述してきたが、具体的な構成は、上記実施形態に限られるものではなく、この発明の要旨を逸脱しない範囲の設計等も含まれる。
【００３４】
【発明の効果】
以上説明したように、本発明によれば、店舗での商品購入、サービス購入に際し、携帯電話により、予め指定された指定番号へ発呼するとともに、前記携帯電話の電話番号に対応付けられた識別番号が付与されたカードを店舗側へ提示し、店舗端末により、提示されたカードに付与された識別番号を読み取り、決済処理サーバにより、指定番号への着信を待ち状態とし、前記店舗端末によって読み取られた識別番号に対応する携帯電話番号と前記待ち状態としている発信者番号とが一致した場合、前記発信者番号に対応する通話料金に購入代金を重畳して請求するようにしたので、事前の登録作業を軽減することができ、個人認証に係る本人なりすましなどの不正使用を防止することができるという利点が得られる。
【図面の簡単な説明】
【図１】本発明の実施形態による決済処理システムの構成を示すブロック図である。
【図２】本実施形態による決済サービスの利用登録時の動作を説明するためのフローチャートである。
【図３】本実施形態による決済処理動作を説明するためのフローチャートである。
【符号の説明】
１  携帯電話
２  カード
３  店舗端末
４  決済処理サーバ（通話保留手段、取得手段、判別手段、決済処理手段）
５  顧客データベース（第１の保持手段）
６  料金データベース（第２の保持手段）
【図１】
2004287694.tif 000003
【図２】
2004287694.tif 000004
【図３】
2004287694.tif 000005